(57)【要約】      （修正有）【課題】１つの装飾具で２通りを越える異なる外観が得られる装飾具を提供する。【解決手段】左端部１１は、装飾されたときに露出可能であって、一方を露出させると他方が露出しない、第１露出部２１及び第２露出部２２を含む。右端部１２は、装飾されたときに露出可能であって、一方を露出させると他方が露出しない、第３露出部２３及び第４露出部２４を含む。第１露出部２１、第２露出部２２、第３露出部２３及び第４露出部２４は、互いに外観が異なる。【選択図】図１
0003203795.tif 000002
【実用新案登録請求の範囲】
【請求項１】
中央部の一端から伸長して形成された一端部と、
前記中央部の他端から伸長して形成された他端部と、
を有する蝶形状の装飾具であって、
前記一端部は、前記装飾具によって被装飾部が装飾されたときに露出可能な第１露出部及び第２露出部であって、一方を露出させると他方が露出しない、前記第１露出部及び前記第２露出部を含み、
前記他端部は、前記装飾具によって前記被装飾部が装飾されたときに露出可能な第３露出部及び第４露出部であって、一方を露出させると他方が露出しない、前記第３露出部及び前記第４露出部を含み、
前記第１露出部、前記第２露出部、前記第３露出部及び前記第４露出部は、互いに外観が異なる、
装飾具。
【請求項２】
前記第１露出部及び前記第２露出部は、一方の布部の表面及び裏面によって形成され、
前記第３露出部及び前記第４露出部は、他方の布部の表面及び裏面によって形成され、
前記中央部は、前記一方の布部と前記他方の布部との連結部によって形成され、
前記中央部の外観として、少なくとも前記第１露出部、前記第２露出部、前記第３露出部及び前記第４露出部のうちの何れかの外観を選択可能である、
請求項１に記載の装飾具。
【考案の詳細な説明】
【技術分野】
【０００１】
本考案は、装飾具に関する。
【背景技術】
【０００２】
従来、ワイシャツ、ウイングカラーシャツなどの衣服に着用するネクタイ、蝶ネクタイ、スカーフなどの装飾具が提案されてきた。
【０００３】
特許文献１には、表裏で日常用と法事用の異なる色、模様の柄を有する、リバーシブルに形成されたネクタイが記載されている。
【０００４】
特許文献２には、大剣部と、大剣部よりも幅方向が短く（幅が狭く）形成された小剣部とを有するネクタイが記載されている。このネクタイは、大剣部が小剣部の前方を覆った状態で配置されて大剣部のみ視認されるように結ばれるか、又は、小剣部が大剣部の前方に配置されて小剣部と大剣部の一部が視認されるように結ばれる。
【先行技術文献】
【特許文献】
【０００５】
【特許文献１】特開２００８−９５２６３号公報
【特許文献２】特表２０１５−５１８０９５号公報
【考案の概要】
【考案が解決しようとする課題】
【０００６】
特許文献１に記載の技術では、日常用と法事用との２通りの外観しか得ることができない。また、特許文献２に記載の技術では、（１）大剣部の表面、（２）大剣部の裏面、（３）小剣部及び大剣部の各表面、及び、（４）小剣部及び大剣部の各裏面の４通りの外観を得られるとしているが、通常のネクタイでは、小剣部が大剣部の前方に配置される（３）及び（４）の結び方が採用され得ないので、特許文献１に記載の技術と同様に、実質的に２通りの外観しか得ることができない。
【０００７】
本考案は、上述のような事情に鑑みてなされたものであり、２通りを越える異なる外観が得られる装飾具を提供することを目的とする。
【課題を解決するための手段】
【０００８】
上記目的を達成するため、本考案に係る装飾具は、
中央部の一端から伸長して形成された一端部と、
前記中央部の他端から伸長して形成された他端部と、
を有する蝶形状の装飾具であって、
前記一端部は、前記装飾具によって被装飾部が装飾されたときに露出可能な第１露出部及び第２露出部であって、一方を露出させると他方が露出しない、前記第１露出部及び前記第２露出部を含み、
前記他端部は、前記装飾具によって前記被装飾部が装飾されたときに露出可能な第３露出部及び第４露出部であって、一方を露出させると他方が露出しない、前記第３露出部及び前記第４露出部を含み、
前記第１露出部、前記第２露出部、前記第３露出部及び前記第４露出部は、互いに外観が異なる、
ことを特徴とする。
【０００９】
なお、本考案に係る装飾具は、
前記第１露出部及び前記第２露出部は、一方の布部の表面及び裏面によって形成され、
前記第３露出部及び前記第４露出部は、他方の布部の表面及び裏面によって形成され、
前記中央部は、前記一方の布部と前記他方の布部との連結部によって形成され、
前記中央部の外観として、少なくとも前記第１露出部、前記第２露出部、前記第３露出部及び前記第４露出部のうちの何れかの外観を選択可能であってもよい。
【考案の効果】
【００１０】
本考案によれば、１つの装飾具で、一端部の２種類の外観（第１露出部及び第２露出部）と、他端部の２種類の外観（第３露出部及び第４露出部）との組合せにより、全体として、２通りを越える異なる外観を得ることができる。
【図面の簡単な説明】
【００１１】
【図１】（Ａ）本実施形態に係る蝶ネクタイを正面から見た一例の説明図、（Ｂ）（Ａ）の蝶ネクタイを解いた状態の表面の一例の説明図、（Ｃ）（Ｂ）の蝶ネクタイの裏面の一例の説明図である。
【図２】（Ａ）本実施形態に係る蝶ネクタイの両端部の外観の組合せの一例の説明図、（Ｂ）本実施形態に係る蝶ネクタイ全体の外観の組合せの説明図である。
【考案を実施するための形態】
【００１２】
以下に、本考案を実施するための形態について図面を参照して詳細に説明する。なお、図中同一又は相当する部分には同じ符号を付す。また、本考案の構成に対する理解を容易にするため、図面の前方を「前」又は「表」、後方を「後」又は「裏」、左方を「左」、右方を「右」とそれぞれ記載して説明する。
【００１３】
本実施形態に係る蝶ネクタイ１は、図１（Ａ）〜図１（Ｃ）に示すように、結び目（中央部、連結部）１０、左端部（一端部、第１羽根部、左側羽根部）１１及び右端部（他端部、第２羽根部、右側羽根部）１２を有する蝶ネクタイ本体と、首紐２０とを備える。左端部１１は、結び目１０の左端から伸長して形成され、右端部１２は、結び目１０の右端から伸長して形成される。
【００１４】
図１（Ｂ）及び（Ｃ）に示すように、左端部１１は、右端が首紐２０に連結された左側の布（一方の布部）によって形成され、蝶ネクタイ本体形成時（装飾時）に露出可能な第１露出部２１及び第２露出部２２を有する。第１露出部２１と第２露出部２２とは、互いに左側の布の表面及び裏面によって形成されるため、一方を露出させると他方は露出しない。同様に、右端部１２は、左端が首紐２０に連結された右側の布（他方の布部）によって形成され、蝶ネクタイ本体形成時に露出可能な第３露出部２３及び第４露出部２４を有する。第３露出部２３と第４露出部２４とは、互いに右側の布の表面及び裏面によって形成されるため、一方を露出させると他方は露出しない。なお、各露出部２１〜２４は、それぞれ外観が異なる（図１（Ｂ）及び図１（Ｃ）参照）。
【００１５】
図１（Ｂ）及び（Ｃ）において、左右両側の各布は、首紐２０側に進むに連れて幅が狭くなるように形成された帯状に形成されている。しかし、これらは、蝶ネクタイ１の機能又は装飾目的を達するいかなる形状に形成されてもよい。例えば、第１露出部２１及び第２露出部２２の先端は、尖った形状又は半円状に形成されてもよい。
【００１６】
また、図１（Ｂ）及び（Ｃ）に示すように、首紐２０には、互いに嵌合可能なフック受け部２５及びフックかぎ部２６が設けられており、左右両側の各布は、首紐２０を介して連結したり、分離したりすることが可能となっている。このため、本実施形態に係る蝶ネクタイ１は、蝶ネクタイ本体を形成した状態で装着するときに、フック受け部２５及びフックかぎ部２６によって、シャツの襟元での着脱が容易になっている。
【００１７】
本実施形態に係る蝶ネクタイ１の外観の組合せの概略を、図２に示す。本実施形態に係る蝶ネクタイ１は、左端部１１として、第１露出部２１と第２露出部２２のいずれを露出させるか、右端部１２として、第３露出部２３と第４露出部２４のいずれを露出させるかによって、少なくとも４通りの異なる外観を提供する。第１露出部２１、第２露出部２２、第３露出部２３及び第４露出部２４の外観をそれぞれＸ、Ｙ、Ｚ、Ｗで表すと、左端部１１として露出可能な外観は、Ｘ又はＹの２種類であり、右端部１２として露出可能な外観は、Ｚ又はＷの２種類である。例えば、左端部１１の外観がＸであり、右端部１２の外観がＺであることをＸＺと表すと、蝶ネクタイ１全体の外観として可能な組合せは、図２（Ａ）に示すように、ＸＺ，ＹＺ，ＸＷ，ＹＷの２×２＝４（通り）である。よって、蝶ネクタイ１は、両端部１１、１２だけで、４通りの外観が得られる。
【００１８】
また、本実施形態では、結び目１０は、左右両側の布の結び目である。このため、結び目１０の外観は、結び方によって各露出部２１〜２４の何れかの外観（４種類の外観）を選択可能である。よって、蝶ネクタイ１全体の外観として可能な組合せは、左端部１１、右端部１２及び結び目１０の外観の組合せであり、図２（Ｂ）に示すように、ＸＸＺ，ＹＹＺ，ＸＺＺ，ＹＺＺ，ＸＸＷ，ＹＹＷ，ＸＷＷ，ＹＷＷ，ＸＹＺ，ＹＸＺ，ＸＷＺ，ＹＷＺ，ＸＹＷ，ＹＸＷ，ＸＺＷ，ＹＺＷの４×４＝１６（通り）である。よって、蝶ネクタイ１は、結び目１０も含めれば、１６通りの外観が得られる。
【００１９】
なお、本実施形態では、結び目１０を左右両側の布の何れか一方の布によって形成したが、例えば、左右両側の布を連結するための連結用の布によって形成してもよい。この場合、連結用の布の表面と裏面とは別の外観によって形成されてもよく、外観をＳ、Ｔで表すと、蝶ネクタイ１の全体としての外観の組合せは、ＸＳＺ，ＸＳＷ，ＹＳＺ，ＹＳＷ，ＸＴＺ，ＸＴＷ，ＹＴＺ，ＹＴＷの８通りを更に追加することができる。
【００２０】
なお、本実施形態では、蝶ネクタイ１の着脱を容易にするために首紐２０にフック受け部２５及びフックかぎ部２６を設けたが、フック受け部２５及びフックかぎ部２６を備えなくてもよい。なお、以上の説明においては、蝶ネクタイ１を例示したが、本考案の応用は、これらに限られるものではない。すなわち、本考案に係る装飾具は、蝶形状部分（蝶ネクタイ本体に対応する部分）を含む限りにおいて、任意の被装飾部を装飾してもよい。具体的には、シャツの襟の下以外、たとえば、首回り又は手首に巻かれてもよい。また、人以外の動物の身に着けられてもよい。さらに、物品の装飾のため、たとえば、鞄の持ち手に巻き付けられ、又は、贈り物のラッピングの一部として用いられてもよい。また、たとえば、首紐に替えて、安全ピンや糸で鞄や衣服に取り付けてもよい。本考案に係る装飾具は、広い範囲に応用され得る。装飾具を蝶ネクタイ１として用いる場合には、着用者によって、最適なサイズは異なる。そのため、本考案に係る装飾具には、さらに、首紐２０の長さを調節するために、アジャスター等の周知の機構を付加したり、首紐２０をゴムによって構成したりしてもよい。
【００２１】
その他、上記実施形態に係る装飾具の構成は一例であり、本考案が解決しようとする課題を解決可能な限りにおいて任意に変更および修正が可能である。
【符号の説明】
【００２２】
１  蝶ネクタイ（装飾具）、１０  結び目、１１  左端部、１２  右端部、２０  首紐、２１  第１露出部、２２  第２露出部、２３  第３露出部、２４  第４露出部、２５  フック受け部、２６  フックかぎ部。
【図１】
0003203795.tif 000003
【図２】
0003203795.tif 000004